(57)【特許請求の範囲】
【請求項１】
買い物依頼者が買い物代行者に店舗での買い物を依頼する買い物代行を店がサポートする買い物代行サポートシステムであって、
前記買い物代行のために前記買い物依頼者が支払う利用料として前記店が予め定めた所定の買い物代行利用料を前記店が前記買い物代行者から受領するための受領手段と、
前記買い物代行のために前記買い物代行者が受け取る手数料として前記買い物代行利用料を前記店が前記買い物代行者に支払うための支払い手段と、を備え、
前記受領手段は、前記店舗で売られる商品の価格と共に前記買物代行利用料を記憶する受領用記憶手段と、買い物客が前記店舗において集めた購入商品の商品名及び個数を手動により又は自動的に入力する機能及び前記買い物客が前記店に支払う預かり金の金額を手動により又は自動的に入力する機能に加えて前記買い物代行が利用されたことを手動により又は自動的に入力する機能を有する受領用入力手段と、受領金額として前記購入商品の代金を計算すると共に前記買い物代行が利用されたことが入力された場合に受領金額として前記購入商品の代金に更に前記買い物代行利用料も加えた金額を計算し前記預かり金から前記購入商品の代金及び前記買い物代行利用料を差し引いて釣り銭を計算するように構成された受領用計算手段と、受領金額として前記購入商品の代金が記載された受領証をプリントすると共に前記買い物代行の利用が入力された場合に受領金額として前記購入商品の代金と共に前記買い物代行利用料が記載された受領証をプリントする受領用プリント手段と、を備え、
前記支払い手段は、前記受領証に記載されている前記買い物代行利用料を認識可能であるように前記受領手段と接続され、支払い金額として前記受領証の前記買い物代行利用料を表示するように構成されたことを特徴とする買い物代行サポートシステム。
【請求項２】
請求項１において、
前記受領手段と前記支払い手段は別体の装置として備えられており、
前記受領用プリント手段は各受領証毎に各受領証の識別のための受領証識別コードをプリントするように構成され、
前記支払い手段は、前記受領証の受領証識別コードを手動により又は自動的に入力する機能を有する支払い用入力手段と、前記買い物代行利用料が記載された支払い証をプリントする支払い用プリント手段と、を備え、且つ、前記受領証識別コードに対応する受領証に記載されている前記買い物代行利用料を認識可能であるように前記受領手段と接続され、前記受領証識別コードにより識別される前記受領証の前記買い物代行利用料を前記支払い証にプリントして表示するように構成されたことを特徴とする買い物代行サポートシステム。
【請求項３】
請求項１において、
前記受領手段と前記支払い手段は一体の装置として備えられており、前記一体の装置内において前記受領証に記載されている前記買い物代行利用料を認識可能であるように前記支払い手段が前記受領手段と接続され、前記受領用プリント手段は前記店が前記買い物代行者に支払う前記買い物代行利用料が記載された支払い証をプリントする支払い用プリント手段を兼ねていることを特徴とする買い物代行サポートシステム。
【請求項４】
請求項１乃至３のいずれかにおいて、
前記店が前記買い物代行の利用希望者に対して付与する買い物代行利用会員カードを更に備え、前記受領用入力手段は前記買い物代行利用会員カード毎に割り当てられた前記利用希望者を特定するための情報を入力する機能を有することを特徴とする買い物代行サポートシステム。
【請求項５】
請求項４において、
パーソナルデータ登録手段を更に備え、前記パーソナルデータ登録手段は、買い物客が過去に商品を購入した購入履歴データを記憶する購入履歴データ記憶手段と、前記買い物代行の利用希望者の氏名及び住所を入力するための買い物代行利用希望者入力手段と、前記利用希望者の氏名及び住所に前記利用希望者が過去に購入した商品の商品名及び前記商品識別コードを加えたパーソナルデータを作成するように構成されたパーソナルデータ作成手段と、前記パーソナルデータを記憶するパーソナルデータ記憶手段と、前記商品識別コードを含む前記パーソナルデータが記載されたパーソナルデータ記載紙をプリントするためのパーソナルデータプリント手段と、前記パーソナルデータが作成された前記利用希望者毎に前記買い物代行利用会員カードを発行するための買い物代行利用会員カード発行手段と、を備えることを特徴とする買い物代行サポートシステム。
【請求項６】
請求項５において、
前記パーソナルデータ登録手段は、前記買い物代行者の候補者の氏名及び住所を入力するための買い物代行候補者入力手段と、前記買い物代行者の候補者のリストを記憶する買い物代行候補者記憶手段と、前記買い物代行者の候補者のリストから前記買い物代行の各利用希望者の住所に近い所定の住所の候補者を選択する買い物代行候補者選択手段と、を更に備えることを特徴とする買い物代行サポートシステム。
【請求項７】
請求項１乃至６のいずれかにおいて、
前記店が買い物客に貸与する携帯端末を更に備え、前記携帯端末は前記買い物客の購入予定商品の商品名に対応する商品識別コード又は商品名が入力されることにより前記店舗における前記購入予定商品の売場の位置を表示する機能を有することを特徴とする買い物代行サポートシステム。
【請求項８】
請求項７において、
前記携帯端末は前記店舗の商品に付されているバーコードを読み取るためのバーコードリーダーを備えており前記買い物客は前記店舗において購入のために集める商品の商品名及び個数を前記バーコードリーダーによって前記携帯端末に入力可能であり、且つ、前記携帯端末は前記バーコードリーダーによって入力される前記商品の商品名及び個数を前記受領手段に有線又は無線により送信する機能を有することを特徴とする買い物代行サポートシステム。
【請求項９】
請求項８において、
前記携帯端末は前記購入予定商品に含まれる商品に付されているバーコードが前記バーコードリーダーによって読み取られたことを前記買い物客に音及び画面表示の少なくとも一方によって知らせる機能を有することを特徴とする買い物代行サポートシステム。
【請求項１０】
請求項７乃至９のいずれかにおいて、
前記買い物依頼者が前記買い物代行者に前記購入予定商品の商品名及び個数を伝達するための所定の形式の買い物メモ用紙と、前記買い物メモ用紙の記載内容を読み取るための買い物メモ用紙読み取り装置と、を更に備え、
前記買い物メモ用紙は前記購入予定商品の商品名に対応する商品識別コードが数字及びバーコードのいずれかの形態で記載され、且つ、前記購入商品の個数が数字で記載されるようになっており、
前記買い物メモ用紙読み取り装置は前記買い物メモ用紙から前記購入予定商品の商品識別コード及び個数を自動的に読み取り可能であり、且つ、前記購入予定商品の商品名及び個数を前記携帯端末に有線又は無線により送信する機能を有することを特徴とする買い物代行サポートシステム。
【請求項１１】
請求項２又は３において、
前記買い物代行者が前記買い物依頼者に前記購入商品を届けるための専用自動車が用意され、前記支払い用プリント手段は支払い金額として前記買い物代行利用料が記載されていると共に前記専用自動車の利用のための専用自動車利用券が記載された支払い証をプリントすることを特徴とする買い物代行サポートシステム。
【発明の詳細な説明】
【技術分野】
【０００１】
本発明は買い物依頼者が例えばその友達である買い物代行者にスーパーマーケット等の店舗での買い物を依頼する買い物代行を店がサポートする買い物代行サポートシステムに関する。
【背景技術】
【０００２】
近年、高齢化の進展等に伴い買い物に行くことが困難な人が増加している。これに対し、例えばネットスーパーと称されるシステムのようなインターネットを介した買い物システムが普及しつつある（例えば、特許文献１参照）。ネットスーパーの利用者は自宅等に居ながらパーソナルコンピューター等の操作や電話によって購入希望商品を注文することができる。一方、店側は注文された商品を店舗や倉庫において集め、集められた商品は店の配送担当者や宅配業者によって利用者の自宅等へ配送される。このようにネットスーパーでは利用者が自宅等に居ながら購入希望商品を注文し、又、注文した商品を受け取ることができるので、高齢者等の買い物をサポートする有力な手法と考えられている。
【先行技術文献】
【特許文献】
【０００３】
【特許文献１】特開２０１１−１８６８３２号公報
【発明の概要】
【発明が解決しようとする課題】
【０００４】
しかしながら、ネットスーパーのようなインターネットを介した買い物システムを利用するためにはパーソナルコンピューター等の操作が必要であり、高齢者等の中にはこのようなパーソナルコンピューター等の操作が不得手な人も少なからず存在する。このような人たちにとってはネットスーパーのようなインターネットを介した買い物システムを利用することは容易ではないという問題がある。又、電話で注文する場合にはパーソナルコンピューター等の操作は必要ないが、購入希望商品が多い場合には発注や受注が煩雑であると共に購入希望商品の商品名や個数の誤認が生じやすいという問題がある。又、ネットスーパーのようなインターネットや電話を介した買い物システムでは利用者が他の人と触れ合う機会が殆どなく、人と人とのつながりが希薄になるという問題もある。尚、利用者は商品を受け取る際に商品を配送する人と顔を合わせる機会はあるが、商品を配送する人は上記のように店の配送担当者や宅配業者であり、人と人とのつながりとは言い難い場合が多いと考えられる。
【０００５】
又、店の配送担当者や宅配業者による配送の場合、配送用のためのコンテナ等が必要でコストアップの要因となったり、購入商品の代金回収の手続きが煩雑であるという問題もある。又、配送時に購入依頼者が不在である場合に持参した商品の扱いが問題となる。
【０００６】
本発明はこのような問題に鑑みてなされたものであって、パーソナルコンピューター等の操作が不得手な人であっても容易に利用することができ、又、人と人とのつながりの維持、広がりに寄与する買い物代行サポートシステムを提供することを課題とする。
【課題を解決するための手段】
【０００７】
本発明は、買い物依頼者が買い物代行者に店舗での買い物を依頼する買い物代行を店がサポートする買い物代行サポートシステムであって、買い物代行のために買い物依頼者が支払う利用料として店が予め定めた所定の買い物代行利用料を店が買い物代行者から受領するための受領手段と、買い物代行のために買い物代行者が受け取る手数料として買い物代行利用料を店が買い物代行者に支払うための支払い手段と、を備え、受領手段は、店舗で売られる商品の価格と共に買物代行利用料を記憶する受領用記憶手段と、買い物客が店舗において集めた購入商品の商品名及び個数を手動により又は自動的に入力する機能及び買い物客が店に支払う預かり金の金額を手動により又は自動的に入力する機能に加えて買い物代行が利用されたことを手動により又は自動的に入力する機能を有する受領用入力手段と、受領金額として購入商品の代金を計算すると共に買い物代行が利用されたことが入力された場合に受領金額として購入商品の代金に更に買い物代行利用料も加えた金額を計算し預かり金から購入商品の代金及び買い物代行利用料を差し引いて釣り銭を計算するように構成された受領用計算手段と、受領金額として購入商品の代金が記載された受領証をプリントすると共に買い物代行の利用が入力された場合に受領金額として購入商品の代金と共に買い物代行利用料が記載された受領証をプリントする受領用プリント手段と、を備え、支払い手段は、受領証に記載されている買い物代行利用料を認識可能であるように受領手段と接続され、支払い金額として受領証の買い物代行利用料を表示するように構成されたことを特徴とする買い物代行サポートシステムにより上記課題を解決したものである。
【０００９】
上記の買い物代行サポートシステムは、買い物依頼者が買い物代行者に店舗での買い物を依頼するためのものであり、買い物依頼者はパーソナルコンピューター等の操作を行う必要がないのでパーソナルコンピューター等の操作が不得手な人であっても容易に利用することができる。
【００１０】
又、買い物依頼者は買い物の依頼の場面や、購入商品の受け渡しの場面において買い物代行者と会話をしたり顔を合わせることになるので買い物依頼者と買い物代行者との間に人と人とのつながりが生まれやすい。更に、買い物は日常生活において繰り返し行われるものであり、買い物依頼者が友達等の特定の買い物代行者に繰り返し買い物代行を依頼することで人と人とのつながりが深まることが期待できる。
【００１１】
又、上記の買い物代行サポートシステムは、店が予め定めた所定の買物代行利用料を店が買い物代行者から受領し、又、買い物代行のために買い物代行者が受領する手数料として買い物代行利用料を店が買い物代行者に支払うので、買い物依頼者が買い物代行者に買い物代行を依頼しやすい。
【００１２】
より詳細には、買い物の代行は個人の間では従来からしばしば行われていたものであるが、買い物は上記のように日常生活において繰り返し行われるものであり、買い物依頼者としては日常的に特定の買い物代行者に買い物の代行を依頼することを気兼ねすることが少なくないと考えられる。一方、買い物代行者にとっても日常的に買い物代行を引き受けることは負担が少なくないと考えられる。尚、買い物依頼者が買い物代行者に謝礼金を支払うようにすればこのような買い物依頼者の気兼ねや買い物代行者の負担感を軽減しうるが、個人間で適当な謝礼金の額を定めることは容易でなかったり、買い物代行者が謝礼金を受け取ることを気兼ねすることも多いと考えられる。
【００１３】
これに対し、上記の買い物代行サポートシステムでは、買い物依頼者は（買い物代行者を介して）店に対して店が予め定めた所定の買い物代行利用料を支払うようになっているので気兼ねなく買い物代行者に買い物の代行を依頼することができる。一方、買い物代行者も店から買い物代行の手数料として買い物代行利用料を気兼ねなく受け取ることができる。従って、上記の買い物代行サポートシステムは多くの人に利用されることが期待され、このような新たな買い物代行サポートシステムを介して人と人とのつながりが広がることも期待される。
【００１４】
又、高齢者の中には元気で時間にもゆとりがある人も少なくないと考えられる。このような人たちが買い物代行者となり買い物代行の手数料として買い物代行利用料を得ることで高齢者等が収入を得る新たな機会が得られることが期待され、又、高齢者等と社会とのつながりが強まることも期待される。
【００１５】
又、上記の買い物代行サポートシステムでは、買い物依頼者と買い物代行者との間で購入商品やその代金の受け渡しが行われるので、店の配送担当者や宅配業者による配送で必要とされるような配送用のコンテナは不要であり、又、店の配送担当者や宅配業者による代金回収の煩雑な手続きや、配送時に購入依頼者が不在である場合の持参した商品の扱い等の問題も生じない。
【発明の効果】
【００１６】
本発明によれば、パーソナルコンピューター等の操作が不得手な人であっても容易に利用することができ、又、人と人とのつながりの維持、広がりに寄与する買い物代行サポートシステム及び買い物代行サポートを実現できる。
【図面の簡単な説明】
【００１７】
【図１】本発明の第１実施形態に係る買い物代行サポートシステムの要部の構成を模式的に示す側面図
【図２】同買い物代行サポートシステムの全体構成の概要を模式的に示す平面図
【図３】同買い物代行サポートシステムの構成を模式的に示すブロック図
【図４】同買い物代行サポートシステムの受領証の一例を示す図
【図５】同買い物代行サポートシステムの受領証の他の一例を示す図
【図６】同買い物代行サポートシステムの支払い証の一例を示す図
【図７】同買い物代行サポートシステムのパーソナルデータ記載紙の一例を示す図
【図８】同買い物代行サポートシステムの買い物メモ用紙の一例を示す図
【図９】同買い物代行サポートシステムによる買い物代行サポート方法の概要を示すフローチート
【図１０】同買い物代行サポートシステムの携帯端末の画面表示の一例を示す図
【図１１】本発明の第２実施形態に係る買い物代行サポートシステムの構成を模式的に示すブロック図
【図１２】同買い物代行サポートシステムの支払い証（兼受領証）の一例を示す図
【図１３】同買い物代行サポートシステムの支払い証（兼受領証）の他の一例を示す図
【発明を実施するための形態】
【００１８】
以下、図面を参照して本発明の好ましい実施形態について詳細に説明する。本発明の第１実施形態は図１〜３に示されるような、買い物依頼者Ｒが買い物代行者Ａに店舗Ｓでの買い物を依頼する買い物代行を店がサポートする買い物代行サポートシステム１０及びこれを利用した買い物代行サポート方法に関するものである。買い物依頼者Ｒは例えば店舗Ｓまで買い物に行くことが困難な高齢者等である。一方、買い物代行者Ａは例えば高齢であっても元気で時間にもゆとりがある買い物依頼者Ｒの友達である。買い物代行サポートシステム１０は、買い物代行のために買い物依頼者Ｒが支払う利用料として店が予め定めた所定の金額の買い物代行利用料を店が買い物代行者Ａから受領するための受領手段１２と、買い物代行のために買い物代行者Ａが受け取る手数料として買い物代行利用料を店が買い物代行者Ａに返金するための支払い手段１４と、を備えることを特徴としている。本第１実施形態では受領手段１２と支払い手段１４は別体の装置として備えられている。
【００１９】
受領手段１２はレジスターであり、店舗Ｓで売られる商品の価格と共に買い物代行利用料を記憶する受領用記憶手段１６と、買い物客が店舗Ｓにおいて集めた購入商品の商品名及び個数を手動により又は自動的に入力する機能及び買い物客が店に支払う預かり金の金額を手動により又は自動的に入力する機能に加えて買い物代行が利用されたことを手動により又は自動的に入力する機能を有する受領用入力手段１８と、受領金額として購入商品の代金を計算すると共に買い物代行が利用されたことが入力された場合に受領金額として購入商品の代金に更に買い物代行利用料も加えた金額を計算し預かり金から購入商品の代金及び買い物代行利用料を差し引いて釣り銭を計算するように構成された受領用計算手段２０と、受領金額として購入商品の代金が記載された受領証２２をプリントすると共に買い物代行の利用が入力された場合に受領金額として購入商品の代金に加え買い物代行利用料が記載された受領証２２をプリントし更に各受領証２２毎に各受領証２２の識別のための受領証識別コードをプリントする受領用プリント手段２４と、を備えている。
【００２０】
受領用記憶手段１６は買い物代行利用料として例えば後述する専用カート７０を利用するための専用カート利用料を記憶している。図４は買い物依頼者Ｒのための受領証２２の例であり、図５は買い物代行者Ａが自身のための買い物もする場合の買い物代行者Ａのための受領証２２の例である。図４に示される受領証２２には買い物代行利用料として専用カート利用料が記載されている。尚、便宜上、図４及び５には商品の商品名や個数、合計金額、釣り銭の額等が同じ例が示されているが、買い物依頼者Ｒのための受領証２２に記載される商品の商品の商品名や個数、合計金額、釣り銭の額等と、買い物代行者Ａのための受領証２２に記載される商品の商品名や個数、合計金額、釣り銭の額等は通常は異なる。又、「専用カート利用料」は買い物代行のために買い物依頼者Ｒが買い物代行者Ａを介して店に支払う（店が買い物依頼者Ｒから一時的に預かる）買い物代行利用料の名目の一例であり買い物代行利用料の名目は他の名目であってもよい。又、受領用記憶手段１６が記憶する専用カート利用料等の買い物代行利用料の金額は店が適宜変更してもよい。又、受領用記憶手段１６は専用カート利用料等の買い物代行利用料の金額の候補として複数の金額を記憶していて、例えば店員Ｃ２がこれらのうちのいずれかの金額を店の指示等によって適宜選択して入力するようにしてもよい。又、受領用記憶手段１６は例えば買い物代行利用料として専用カート利用料とこれよりも金額が低い又は高い１つ又は２つ以上の買い物代行利用料を記憶していてもよい。例えば、専用カート利用料よりも金額が低い又は高い買い物代行利用料で買い物の代行をすることに買い物代行者Ａと買い物依頼者Ｒとが合意している場合、買い物依頼者Ａの申し出によって店員Ｃ１が専用カート利用料よりも金額が低い又は高い買い物代行利用料を選択して入力できるようにしておいてもよい。尚、受領用記憶手段１６は、受領用入力手段１８や受領用プリント手段２４と同じ箇所に備えられていてもよく、又、受領用入力手段１８や受領用プリント手段２４とは別の箇所に備えられていて受領用計算手段２０等と有線又は無線で接続されていてもよい。例えば、受領用記憶手段１６は、同じ系列の複数の店舗と接続された本部のホストコンピューター及び／又は店舗Ｓ内のサーバーに備えられていてもよい。受領用入力手段１８は、例えばバーコードリーダー、テンキー、カードリーダー等の要素で構成されている。尚、受領用記憶手段１６が複数の種類の買い物代行利用料を記憶している場合、受領用入力手段１８は、例えば専用カート利用料と、これよりも金額が低い又は高い買い物代行利用料を手動により選択して入力できる機能（一例として複数の種類の買い物代行利用料を選択するためのボタン）を有しているとよい。更に、受領用入力手段１８は買い物代行者Ａと買い物依頼者Ｒとが合意した任意の買い物代行利用料をテンキーにより手動で入力できる機能も有していてもよい。受領用計算手段２０はコンピュータープログラムである。
【００２１】
支払い手段１４も受領手段１２と同様にレジスター又はレジスターに類似した装置であるが、商品の代金の受領とは別に種々の対応をするために設けられたカウンター（以後、「サービスカウンター」と呼ぶ）に設置されている。支払い手段１４は、受領証２２の受領証識別コードを手動により又は自動的に入力する機能を有する支払い用入力手段２６と、買い物代行利用料が記載された支払い証３０をプリントする支払い用プリント手段２８と、を備え、且つ、受領証識別コードに対応する受領証２２に記載されている専用カート利用料等の買い物代行利用を認識可能であるように受領手段１２と接続され、支払い用入力手段２６によって入力される受領証識別コードにより識別される受領証２２の専用カート利用料等の買い物代行利用を買い物代行者Ａに支払う支払い金額として支払い証３０にプリント（表示）するように構成されている。又、支払い用プリント手段２８は後述する専用自動車６２の利用のための専用自動車利用券も支払い証３０にプリントするように構成されている。図６は支払い証３０の一例である。図６に示される支払い証３０には店が買い物代行者Ａに支払う買い物代行利用料として「お友達宅配謝礼金」が記載されている。又、支払い証３０には後述する専用自動車６２の利用のためのタクシー利用証明書（専用自動車利用券）がプリントされている。尚、「お友達宅配謝礼金」は買い物代行のために店が買い物代行者Ａを介して買い物依頼者Ｒから一時的に預かった買い物代行利用料を買い物代行の手数料として買い物代行者Ａに支払う際の買い物代行利用料の名目の一例であり、店が買い物代行の手数料として買い物代行者Ａに支払う際の買い物代行利用料の名目は他の名目であってもよい。支払い手段１４は支払い用プリント手段２８に加えて、又は支払い用プリント手段２８に代えて買い物代行者Ａに支払う支払い金額として買い物代行利用料の金額を表示するためのディスプレイ等を備えていてもよい。
【００２２】
支払い用入力手段２６はＯＣＲ、バーコードリーダー、テンキー又はこれらのうちの２つ或いは３つの組合せである。又、支払い手段１４は支払い用入力手段２６や受領手段１２から入力される情報に基づいて支払い用プリント手段２８やディスプレイを制御する支払い用制御手段３１を備えている。支払い用制御手段３１はコンピュータープログラムである。
【００２３】
又、買い物代行サポートシステム１０は、店が買い物代行の利用希望者に対して付与する買い物代行利用会員カード３２を更に備えている。買い物代行利用会員カード３２は磁気カードやＩＣカードであり、受領用入力手段１８は買い物代行利用会員カード３２毎に割り当てられた買い物代行利用会員（利用希望者）を特定するための情報を入力する機能を有している。より詳細には受領用入力手段１８は例えばカードリーダーによって買い物代行利用会員カード３２毎に割り当てられた買い物代行利用会員（利用希望者）を特定するための会員番号等の情報を入力するように構成されている。又、受領用入力手段１８は例えばカードリーダーに加えて、又はカードリーダーに代えてテンキーによって買い物代行利用会員（利用希望者）の会員番号を入力するように構成されていてもよい。
【００２４】
又、買い物代行サポートシステム１０は、パーソナルデータ登録手段３４を更に備えている。パーソナルデータ登録手段３４は、買い物客が過去に商品を購入した購入履歴データを記憶する購入履歴データ記憶手段３６と、買い物代行の利用希望者の氏名及び住所を入力するための買い物代行利用希望者入力手段３８と、利用希望者の氏名及び住所に利用希望者が過去に購入した商品の商品名及び商品識別コードを加えたパーソナルデータを作成するように構成されたパーソナルデータ作成手段４０と、パーソナルデータを記憶するパーソナルデータ記憶手段４２と、商品識別コードを含むパーソナルデータが記載されたパーソナルデータ記載紙４４をプリントするためのパーソナルデータ用プリント手段４６と、パーソナルデータが作成された利用希望者毎に買い物代行利用会員カード３２を発行するための買い物代行利用会員カード発行手段４８と、を備えている。図７はパーソナルデータ記載紙４４の一例であり、利用希望者が過去に購入したことがある商品の商品識別コード、商品名、参考価格等が記載されている。尚、パーソナルデータ記載紙４４の表紙等には利用希望者の氏名及び住所等も記載されているが図７ではこれらの表示は省略している。
【００２５】
このパーソナルデータ登録手段３４は、買い物代行者の候補者の氏名及び住所を入力するための買い物代行候補者入力手段５０と、買い物代行者の候補者のリストを記憶する買い物代行候補者記憶手段５２と、買い物代行者の候補者のリストから買い物代行の各利用希望者の住所に近い所定の住所の地域に居住する候補者を選択する買い物代行候補者選択手段５４と、を更に備えている。買い物代行候補者選択手段５４は例えば買い物代行の利用を希望する各利用希望者の住所と区、市、町、丁目、番地等が同じである住所や、これに更に区、市、町、丁目、番地等が隣接する住所等を「近い住所」と認識するように構成されている。
【００２６】
尚、買い物代行利用希望者入力手段３８、買い物代行候補者入力手段５０は例えばサービスカウンターに設置されているパーソナルコンピューターのキーボードであり、別々のパーソナルコンピューターがそれぞれの機能を担っていてもよいし、１つの共通のパーソナルコンピューターが両者の機能を兼ねていてもよい。パーソナルデータ作成手段４０、買い物代行候補者選択手段５４はコンピュータープログラムである。又、パーソナルデータ用プリント手段５０は例えばレーザープリンタやインクジェットプリンタでありサービスカウンターに設置されている。買い物代行利用会員カード発行手段４８は同様にサービスカウンターに設置されており、パーソナルデータが登録された会員の氏名等の情報を磁気等によって買い物代行利用会員カード３２に記録するようになっている。尚、購入履歴データ記憶手段３６、パーソナルデータ作成手段４０、パーソナルデータ記憶手段４２、買い物代行候補者記憶手段５２、買い物代行候補者選択手段５４のいずれか又は全部は、サービスカウンターに設置されているパーソナルコンピューター内に備えられていてもよいが、これらのいずれか又は全部はサービスカウンターに設置されているパーソナルコンピューターとは別の箇所に備えられていてサービスカウンターに設置されているパーソナルコンピューターと有線又は無線で接続されていてもよい。例えば、購入履歴データ記憶手段３６、パーソナルデータ記憶手段４２、買い物代行候補者記憶手段５２、買い物代行候補者選択手段５４は、受領手段１２の受領用記憶手段１６と同様に、同じ系列の複数の店舗と接続された本部のホストコンピューターや店舗Ｓ内のサーバーに備えられていてもよい。
【００２７】
又、買い物代行サポートシステム１０は、店が買い物客に貸与する携帯端末５６を更に備えている。携帯端末５６は例えばタブレット端末と称される携帯用のコンピューターであり例えばサービスカウンターに複数用意されている。携帯端末５６は買い物客の購入予定商品の商品名に対応する商品識別コード又は商品名が入力されることにより店舗Ｓにおける購入予定商品の売場の位置を表示する機能を有している。又、携帯端末５６は店舗Ｓの商品に付されているバーコードを読み取るためのバーコードリーダー５６Ａを備えており買い物客は店舗Ｓにおいて購入のために集める商品の商品名及び個数をバーコードリーダー５６Ａによって携帯端末５６に入力可能であり、且つ、携帯端末５６はバーコードリーダー５６Ａによって入力される商品の商品名及び個数を受領手段１２に有線又は無線により送信する機能を有している。更に、携帯端末５６は購入予定商品に含まれる商品に付されているバーコードがバーコードリーダー５６Ａによって読み取られたことを買い物客に音及び画面表示の少なくとも一方によって知らせる機能を有している。例えば携帯端末５６は購入予定商品として入力されている商品のバーコードがバーコードリーダー５６Ａによって読み取られた場合に、店舗Ｓにおけるその購入予定商品の売場の位置を色の変更やマークで画面に示したり、及び／又は「ピー」というような音を発することによって、その購入予定商品が集められたことを示すようになっている。又、携帯端末５６は購入予定商品としては入力されていない商品のバーコードがバーコードリーダー５６Ａによって読み取られた場合に、前記の音と異なる音を発することによって、購入予定商品としては入力されていない商品のバーコードがバーコードリーダー５６Ａによって読み取られた（購入予定商品ではない商品が購入されようとしている）ことを示すようになっていてもよい。
【００２８】
又、買い物代行サポートシステム１０は、買い物依頼者Ｒが買い物代行者Ａに購入予定商品の商品名及び個数を伝達するための所定の形式の買い物メモ用紙５８と、買い物メモ用紙５８の記載内容を自動的に読み取るための買い物メモ用紙読み取り装置６０と、を更に備えている。
【００２９】
買い物メモ用紙５８は購入予定商品の商品名に対応する商品識別コードが数字又はバーコードのいずれかの形態で記載され、且つ、購入予定商品の個数も数字で記載されるようになっている。図８は買い物メモ用紙３４の一例であり、商品識別コードが数字で記載されるようになっている。尚、図８中の「短縮品番」の欄が商品識別コードを記入する欄である。
【００３０】
買い物メモ用紙読み取り装置６０はＯＣＲ、バーコードリーダー又はこれらの組合せであり、サービスカウンター又はその周辺等に設置されている。買い物メモ用紙読み取り装置６０は買い物メモ用紙５８から購入予定商品の商品名及び個数を読み取り可能であり、且つ、購入予定商品の商品名及び個数を携帯端末５６に有線又は無線により送信する機能を有している。
【００３１】
又、買い物代行サポートシステム１０には、買い物代行者Ａが買い物依頼者Ｒに購入商品を届けるための複数の専用自動車６２が用意されている。専用自動車６２は例えば軽自動車である。これら専用自動車６２は店舗Ｓに待機するようになっている。又、専用自動車６２の運転は専用の運転手が担当するようになっており、買い物代行者Ａ自身は運転することなく買い物依頼者Ｒに購入商品を届けることができるようになっている。専用自動車６２の利用範囲は例えば店舗Ｓから３ｋｍ程度の一定の範囲であり、この一定の範囲に居住する買い物依頼者Ｒへの購入商品の配送のために利用されることが想定されている。尚、タクシーが専用自動車６２の役割を担うようにしてもよい。
【００３２】
又、店舗Ｓには通常の買い物用のカート６８と買い物代行用の専用カート７０とが用意されている。更に、店舗Ｓには通常の買い物用のかご７２と買い物代行用の専用かご７４とが用意されている。専用かご７４は例えば全体的な形状、大きさは通常の買い物用のかご７２と同じであり色、文字又は部分的な形状の違い等によって買物客が通常のかご７２と識別できるようになっている。図１、２に模式的に示されるように専用カート７０は２つのかごを搭載できるようになっている。尚、図１、２では専用カート７０は２つのかごを前後方向に並べて搭載するようになっているが、２つのかごを左右方向に並べて搭載する構成や２つのかごを上下方向に並べて搭載する構成であってもよい。又、例えば上段に２つのかごを前後方向又は左右方向に並べて搭載し、下段にも２つのかごを前後方向又は左右方向に並べて搭載する（合計４つのかごを搭載できる）構成であってもよい。又、専用カート７０は携帯端末５６を着脱自在である携帯端末設置部を備えており、買い物客は専用カート７０に装着された携帯端末５６を参照しながら店舗Ｓ内を移動できるようになっている。
【００３３】
次に、図９のフローチャートに沿って買い物代行サポートシステム１０による買い物代行サポート方法について説明する。
【００３４】
まず買い物依頼者Ｒはパーソナルデータの登録を行う（Ｓ１０２：パーソナルデータ登録ステップ）。具体的には、買い物依頼者Ｒは買い物代行利用会員の登録手続きのために店舗Ｓのサービスカウンターにおいて店員Ｃ２に書面又は口頭によって、氏名、住所等の買い物依頼者Ｒを特定するための情報を伝える。店員Ｃ２は買い物代行利用希望者入力手段３８によってこれらの情報を入力する。又、買い物依頼者Ｒは、店が割引やポイント付与等のサービスのために発行し、買い物依頼者Ｒが既に所持していたカード（買い物代行利用会員カード３２とは別のカード）を店員Ｃ２に手渡す。このカードを店員Ｃ２が所定のカードリーダーに読み取らせることによって購入履歴データ記憶手段３６に記憶されている、買い物依頼者Ｒが過去に購入した商品の商品名をパーソナルデータ作成手段４０が認識することができる。尚、このカードによって買い物依頼者Ｒの氏名や住所もパーソナルデータ作成手段４０が認識することができる場合は店員Ｃ２への買い物依頼者Ｒの氏名や住所の伝達は省略してもよい。パーソナルデータ作成手段４０は利用希望者の氏名及び住所に利用希望者が過去に購入した商品の商品名及び商品識別コードを加えたパーソナルデータを作成する。買い物依頼者Ｒのパーソナルデータはパーソナルデータ記憶手段４２に記憶される。店員Ｃ２は商品識別コードを含むパーソナルデータが記載されたパーソナルデータ記載紙４４をパーソナルデータ用プリント手段４６によってプリントする。尚、パーソナルデータ記載紙４４には買い物依頼者Ｒの買い物代行のための会員番号もプリントされる。又、店員Ｃ２は買い物代行利用会員カード３２を買い物代行利用会員カード発行手段４８によって発行する。買い物依頼者Ｒは店員Ｃ２から買い物代行利用会員カード３２、パーソナルデータ記載紙４４及び買い物メモ用紙５８を受取る。
【００３５】
尚、例えば買い物依頼者Ｒがこれまで店舗Ｓや系列店で買い物をした実績がなく、割引やポイント付与等のサービスのために店が発行するカードを所持していない場合は、買い物依頼者Ｒはまずこのカード（買い物代行利用会員カード３２とは別のカード）の発行を受けて店舗Ｓにおいて買い物をし、その購入履歴を購入履歴データ記憶手段３６に記憶させてからパーソナルデータの登録を行うことが好ましい。このようにすることで購入した商品の商品識別コードがパーソナルデータ記載紙４４に記載されるので、購入実績がある商品の買い物代行を依頼する際に買い物メモ用紙５８に商品識別コードを容易に記入できる。一方、パーソナルデータ記載紙４４には買い物依頼者Ｒが過去に購入した商品の商品名及び商品識別コードが記載されているが、買い物依頼者Ｒが過去に購入した商品以外の商品の購入のため、買い物依頼者Ｒは店員Ｃ２から店舗Ｓで売られている商品の商品名に対応する商品識別コードが記載された商品リストや商品カタログを受取っておくとよい。
【００３６】
次に、買い物依頼者Ｒは買い物代行者Ａに店舗Ｓにおける買い物の代行を依頼する（Ｓ１０４：買い物代行依頼ステップ）。具体的には買い物依頼者Ｒは自宅等においてパーソナルデータ記載紙４４や商品リスト、商品カタログ等を参照して買い物メモ用紙５８に購入を希望する商品の商品識別コード、個数を手書きで記入する。又、念のため商品名も併記する。尚、買い物依頼者Ｒは店のホームページ等を参照して商品識別コードを記入してもよい。店のホームページ等を参照するためにはパーソナルコンピューター等の操作は必要であるが商品の注文等よりも操作は容易である。又、商品識別コードがバーコードである場合には商品リスト、商品カタログ等に用意されているバーコードのシール等を買い物メモ用紙５８に貼り付ける。尚、商品識別コードが不明である購入希望商品については商品名及び個数のみを記入しておけばよい。又、買い物依頼者Ｒはパーソナルデータ記載紙４４に記載されている自身の会員番号を記入する。買い物依頼者Ｒは、購入を希望する商品の商品識別コード、個数、商品名、会員番号を記載した買い物メモ用紙５８及び会員代行利用会員カード３２を自宅等において例えば友達である買い物代行者Ａに手渡す。尚、買い物依頼者Ｒは買い物代行者Ａに買い物メモ用紙５８への商品識別コード、個数、商品名、会員番号の記入の代行も依頼してもよい。又、この際、買い物依頼者Ｒは商品の代金も買い物代行者Ａに手渡してもよいが代金は後で支払うようにしてもよい。又、買い物依頼者Ｒは電話によって買い物代行者Ａに買い物の代行を依頼してもよい。この場合、買い物代行者Ａが未記入の買い物メモ用紙５８を所持していれば、買い物依頼者Ｒは電話によって買い物代行者Ａに買い物メモ用紙５８への商品識別コード、個数、商品名、会員番号の記入の代行を依頼してもよい。又、買い物依頼者Ｒやその家族がインターネットの店のサイトにおいて商品識別コード、個数、商品名、会員番号等を入力し、電話によって買い物代行者Ａにはこれを告げて買い物の代行を依頼してもよい。尚、買い物依頼者Ｒが買い物の代行を依頼できるような友人を自身で見つけることが困難な場合は、予め店舗Ｓ等において買い物代行候補者選択手段５４によって選択される買い物代行候補者の紹介を受けておいて、その中のいずれかの人に買い物の代行を依頼すればよい。
【００３７】
買い物依頼者Ｒから買い物の代行を依頼された買い物代行者Ａは徒歩、自転車、自家用車、或いはバスやタクシー、電車等の公共交通手段によって店舗Ｓに来店し買い物代行の準備を行う（Ｓ１０６：買い物代行準備ステップ）。具体的には、買い物代行者Ａは店舗Ｓのサービスカウンターにおいて店員Ｃ２に買い物代行利用カード３２や買い物メモ用紙５８を提示して携帯端末５６の貸与を受ける。尚、買い物メモ用紙５８に商品識別コードが記載されていない商品の商品名が記載されている場合、買い物代行者Ａ又は店員Ｃ２は、サービスカウンター等に備えられている商品リストや商品カタログ、店のホームページ等を参照して商品識別コードを記載する。更に、買い物代行者Ａ又は店員Ｃ２は買い物メモ用紙５８の内容を買い物メモ用紙読み取り装置６０によって読み取らせ、携帯端末５６に有線又は無線により送信させる。又、買い物依頼者Ｒやその家族がインターネットの店のサイトにおいて商品識別コード、個数、商品名、会員番号等を入力していた場合は、サービスカウンターに設置されたパーソナルコンピューター等を介してこの入力されたデータを携帯端末５６に有線又は無線により送信してもよい。これにより携帯端末５６には図１０に例示されるような、買い物メモ用紙５８に記載された購入希望商品の店舗Ｓにおける売場の位置や売場の位置への経路等が表示される。この携帯端末５６を買い物代行者Ａ又は店員Ｃ２は専用カート７０に装着する。更に、買い物代行者Ａは専用カート７０に専用かご７４を載せる。又、買い物代行者Ａが自身のための買い物も行う場合には専用カート７０に通常のかご７２も載せる。
【００３８】
次に、買い物代行者Ａは携帯端末５６を参照しつつ店舗Ｓにおいて買い物を行う（Ｓ１０８：買い物実行ステップ）。具体的には、買い物代行者Ａは携帯端末５６に表示された買い物依頼者Ｒの購入希望商品の売場の位置を参照しながら店舗Ｓにおいて買い物依頼者Ｒの購入希望商品を集めて専用かご７４に入れていく。又、買い物代行者Ａが自身のための買い物もする場合は、自身のための購入商品は通常のかご７２に入れる。尚、かご７２や専用かご７４に入らない大型の商品はかご７２や専用かご７４には入れずに専用カート７０に載せればよい。又、買い物代行者Ａは携帯端末５６のバーコードリーダー５６Ａによって店舗Ｓにおいて集める商品に付されているバーコードを読みとり商品の商品名及び個数を携帯端末５６に入力する。尚、買い物代行者Ａが自身のための買い物もする場合は、携帯端末５６を操作して自身のための商品と買い物依頼者Ｒのための商品とを区別して携帯端末５６に商品名及び個数を入力する。図１０に示されるように携帯端末５６の画面にはバーコードリーダー５６Ａによってバーコードを読みとった商品の個数が表示される。図１０において「Ｎｏ．１」の売り場の商品は既にバーコードが読みとられており、「Ｎｏ．２」、「Ｎｏ．３」の売り場の商品はまだバーコードが読みとられていない。尚、携帯端末５６の画面には買い物依頼者Ｒのための（バーコードを読みとった）商品の個数と買い物代行者Ａ自身のための（バーコードを読みとった）商品の個数は識別のために異なる色等で表示されるようになっている。又、携帯端末５６は購入予定商品として入力されている商品のバーコードがバーコードリーダー５６Ａによって買い物依頼者Ｒのための商品として読み取られた場合に、その購入予定商品の売場の位置を色の変化やマークで画面に示したり、及び／又は「ピー」というような音を発することによって、その購入予定商品が集められたことを示す。又、携帯端末５６は購入予定商品としては入力されていない商品のバーコードがバーコードリーダー５６Ａによって買い物依頼者Ｒのための商品として読み取られた場合に、前記の音と異なる音を発したり画面に所定の表示をすることによって、購入予定商品としては入力されていない商品のバーコードがバーコードリーダー５６Ａによって読み取られたことを示す。尚、買い物代行者Ａは、買い物依頼者Ｒのための商品のみの商品名及び個数をバーコードリーダー５６Ａによって携帯端末５６に入力するようにしてもよい。
【００３９】
買い物代行者Ａは、買い物依頼者Ｒの購入希望商品や自身の購入希望商品を総て集めたらレジスターへ行き、店は買い物代行者Ａから商品の代金及び専用カート利用料（買い物代行利用料）を受領する（Ｓ１１０：受領ステップ）。具体的には、まず買い物代行者Ａ又は店員Ｃ１は携帯端末５６を操作して携帯端末５６に入力された購入商品の商品名及び個数を受領手段１２に有線又は無線により送信する。又、買い物代行者Ａは店員Ｃ１に買い物依頼者Ｒの会員代行利用会員カード３２を手渡し、店員Ｃ１は受領用入力手段１８によって会員代行利用会員カード３２に記憶された情報（買い物依頼者Ｒの会員番号等の買い物依頼者Ｒを特定する情報等）を受領手段１２に入力する。これにより買い物代行が利用されたことが受領手段１２に入力される。尚、携帯端末５６に入力された購入商品の商品名及び個数を受領手段１２に送信する際に、買い物代行が利用されたことを携帯端末５６から受領手段１２に送信して受領手段１２に入力するようにしてもよい。又、買い物代行者Ａは買い物代行利用カード３２や買い物メモ用紙５８等を見ながら口頭で店員Ｃ１に買い物依頼者Ｒの会員番号を伝え、店員Ｃ１がテンキーによって買い物依頼者Ｒの会員番号を受領手段１２に入力するようにしてもよい。又、店員Ｃ１は専用カート７０等を目視で確認して買い物代行が利用されたことを受領用入力手段１８のボタン等によって受領手段１２に入力してもよい。これにより受領手段１２の受領用計算手段２０は買い物代行者Ａが買い物依頼者Ｒのために集めた商品の商品名及び個数を認識すると共に買い物代行が利用されたことを認識する。受領用計算手段２０は受領用記憶手段１６に記憶されている商品の価格及び専用カート利用料（買い物代行利用料）に基づいて購入商品の代金に専用カート利用料を加えた金額を計算する。更に、受領用計算手段２０は消費税や店が設定した所定の割引額等も加味した、買い物代行者Ａから受領すべき金額を計算し、受領手段１２はこの金額ディスプレイ等に表示する。
【００４０】
尚、受領用記憶手段１６が、買い物代行用の専用カート利用料だけでなくこれよりも金額が低い又は高い１種類又は２種類以上の買い物代行利用料を記憶しており、買い物代行者Ａと買い物依頼者Ｒとがお友達宅配謝礼金よりも金額が低い又は高い買い物代行利用料で買い物の代行をすることに合意している場合、買い物依頼者Ａはこれを申し出て店員Ｃ２は専用カート利用料よりも金額が低い又は高い買い物代行利用料を選択して入力するように受領用入力手段１８のボタンやテンキーを操作する。
【００４１】
買い物代行者Ａは受領手段１２のディスプレイに表示された金額を目視することにより、及び／又は店員Ｃ１が受領手段１２のディスプレイに表示された金額を買い物代行者Ａに口頭で伝えることにより、買い物代行者Ａは自身が店に支払うべき金額を認識し、これと同じ金額又はこれを上回る金額の金銭を店員Ｃ１に支払う。買い物代行者Ａが支払った金銭の金額を店員Ｃ１が受領手段１２に入力すると、受領用計算手段２０は購入商品の代金及び専用カート利用料等の買い物代行利用料を買い物代行者Ａが支払った金銭の金額から差し引く計算や消費税、割引き等の計算を行って釣り銭を算出し、受領手段１２はこの金額をディスプレイに表示する。又、受領用プリント手段２４は受領金額として購入商品の代金等と共に専用カート利用料等の買い物代行利用料が記載された受領証２２をプリントする。尚、受領証２２には受領証識別コード、購入商品の商品名及び個数もプリントされる。店員Ｃ１は例えば受領証２２に記載された購入商品の合計の個数と、実際に買い物代行者Ａが集めた合計の個数とが一致することを確認することによって精算が正しく行われたことを確認する。この精算確認作業が容易であるように受領証２２には購入商品の合計の個数をプリントするようにしてもよい。店員Ｃ１は受領手段１２に表示された金額の釣り銭及び受領証２２を買い物代行者Ａに手渡す。これにより買い物依頼者Ｒのための購入商品の精算が完了する。尚、受領証識別コード、店が買い物代行者Ａから受領した専用カート利用料等の買い物代行利用料、買い物依頼者Ｒの会員番号等は受領用記憶手段１６等に記憶される。
【００４２】
買い物代行者Ａが自身のための買い物も行っていた場合は、買い物依頼者Ｒのための購入商品の精算が完了した後に、買い物代行者Ａのための購入商品の精算を行う。買い物代行者Ａが自身のための商品の商品名及び個数もバーコードリーダー５６Ａによって携帯端末５６に入力した場合は、受領手段１２の受領用計算手段２０は携帯端末５６からの送信によって買い物代行者Ａが自身のために集めた商品の商品名及び個数を認識する。一方、買い物代行者Ａが買い物依頼者Ｒのための商品の商品名及び個数だけをバーコードリーダー５６Ａによって携帯端末５６に入力した場合は、買い物代行者Ａのための商品の商品名及び個数は店員Ｃ１が受領用入力手段１８のバーコードリーダーやテンキーによって受領手段１２に入力する。尚、買い物代行者Ａのための受領証２２には、買い物依頼者Ｒのための受領証２２の受領証識別コードと共通の受領証識別コードがプリントされる。買い物依頼者Ｒのための購入商品や買い物代行者Ａ自身のための購入商品の精算が完了したら買い物代行者Ａは必要に応じてサッカー台等において購入した商品をかご７２や専用かご７４から買い物袋等に移し替える。
【００４３】
次に買い物代行者Ａは手数料として店から買い物代行利用料の支払いを受ける（Ｓ１１２：支払いステップ）。具体的には買い物代行者Ａはサービスカウンターにおいて店員Ｃ２に買い物依頼者Ｒのための受領証２２を手渡す。又、買い物代行者Ａは貸与を受けた携帯端末５６を店員Ｃ２に返却する。店員Ｃ２は支払い用入力手段２６によって受領証２２に記載されている受領証識別コードを支払い手段１４に入力する。支払い手段１４は、受領手段１２との接続（通信）により受領証識別コードに対応する受領証２２に記載されている専用カード利用料等の買い物代行利用料を認識し、受領証識別コードによって識別される受領証２２の買い物代行利用料に相当する「お友達宅配謝礼金」をディスプレイや支払い証３０に表示する。又、支払い用プリント手段２８はお友達宅配謝礼金（買い物代行手利用料）及び専用自動車６２を利用するためのタクシー利用証明書（専用自動車利用券）が記載された支払い証３０をプリントする。店員Ｃ２は買い物代行者Ａに支払い証３０を手渡すと共にお友達宅配謝礼金（買い物代行利用料）を支払う。尚、店が買い物代行者Ａに支払ったお友達宅配謝礼金等の買い物代行利用料やこれに対応する受領証識別コードは図示しない支払用記憶手段や受領用記憶手段１６等に記憶される。又、店員Ｃ２はパーソナルデータ登録手段３４を操作して買い物依頼者Ｒの新たなパーソナルデータ記載紙４４をプリントする。パーソナルデータ記載紙４４には今回の買い物で買い物依頼者Ｒが店舗Ｓ又はその系列店で初めて購入した商品の商品識別コードが反映（追加）されている。店員Ｃ２はプリントされた新たなパーソナルデータ記載紙４４や新しい買い物メモ用紙５８を買い物代行者Ａに手渡す。
【００４４】
次に、買い物代行者Ａは買い物依頼者Ｒのために購入した商品を買い物依頼者Ｒに配送する（Ｓ１１４：配送ステップ）。買い物代行者Ａは徒歩、自転車、自家用車、或いはバスやタクシー、電車等の公共交通手段によって買い物依頼者Ｒの自宅等に向かい、買い物依頼者Ｒは自宅等において買い物代行者Ａが（買い物依頼者Ｒのために）購入した商品、受領証２２、新たなパーソナルデータ記載紙４４、新しい買い物メモ用紙５８、買い物代行利用会員カード３２等を買い物代行者Ａから受け取る。又、買い物代行者Ａは買い物依頼者Ｒに釣り銭を手渡す。尚、買い物代行依頼ステップ（Ｓ１０４）において買い物代行者Ａが買い物依頼者Ｒから購入希望商品の代金を受け取っていなかった場合は、ここで買い物依頼者Ｒから購入商品の代金を受け取る。これにより買い物依頼者Ｒが買い物代行者Ａに依頼した買い物の代行が完了する。
【００４５】
又、買い物代行者Ａが専用自動車６２を利用する場合は、買い物代行者Ａは店舗Ｓのサービスカウンターにおいて店が予め定めた所定の専用自動車利用料を店員Ｃ２に支払う。その後、買い物代行者Ａは専用自動車利用券が記載された支払い証３０を専用の運転手に提示し、専用の運転手が運転する専用自動車６２に同乗して買い物依頼者Ｒの自宅等へ向かい、買い物依頼者Ｒのために購入した商品等を買い物依頼者Ｒに手渡す。尚、買い物代行者Ａは、店が予め定めた所定の専用自動車利用料を専用の運転手に支払うようにしてもよい。その後、専用自動車６２は専用の運転手の運転によって店舗Ｓへ戻る。
【００４６】
以後、同様に高齢者等である買い物依頼者Ｒは必要に応じて例えば高齢者の友達等である買い物代行者Ａや他の買い物代行者に買い物の代行を依頼する。
【００４７】
以上のように買い物代行サポートシステム１０及びこれを利用した買い物代行サポート方法は、買い物依頼者Ｒが買い物代行者Ａに店舗Ｓでの買い物を依頼するためのものであり、買い物依頼者Ｒはパーソナルコンピューター等の操作を必ずしも行う必要がないのでパーソナルコンピューター等の操作が不得手であっても容易に利用することができる。
【００４８】
又、買い物依頼者Ｒは買い物代行依頼ステップ（Ｓ１０４）や配送ステップ（Ｓ１１４）において買い物代行者Ａと会話をしたり顔を合わせることになるので買い物依頼者Ｒと買い物代行者Ａとの間に人と人とのつながりが生まれやすい。更に、買い物は日常生活において繰り返し行われるものであり、買い物依頼者Ｒが例えばその友達等の特定の買い物代行者Ａに繰り返し買い物代行を依頼することで人と人とのつながりが深まることが期待できる。
【００４９】
又、買い物代行サポートシステム１０及びこれを利用した買い物代行サポート方法は、買い物依頼者Ｒが（買い物代行者Ａを介して）店に対して店が予め定めた専用カート利用料等の買い物代行利用料を支払うようになっているので買い物依頼者Ｒは気兼ねなく買い物代行者Ａに買い物代行を依頼することができる。一方、買い物代行者Ａも買い物代行の手数料として買い物代行利用料に相当するお友達宅配謝礼金等の名目の金銭を店から気兼ねなく受け取ることができる。従って、買い物代行サポートシステム１０及びこれを利用した買い物代行サポート方法は多くの人に利用されることが期待され、このような買い物代行サポートシステム１０及びこれを利用した買い物代行サポート方法を介して人と人とのつながりが広がることも期待される。
【００５０】
又、高齢者の中には元気で時間にもゆとりがある人も少なくないと考えられる。このような人たちが買い物代行者となり買い物代行の手数料としてお友達宅配謝礼金等の名目の買い物代行利用料を得ることで高齢者等が収入を得る新たな機会が得られることが期待され、又、高齢者等と社会とのつながりが強まることも期待される。
【００５１】
又、買い物代行サポートシステム１０及びこれを利用した買い物代行サポート方法では、買い物依頼者Ｒと買い物代行者Ａとの間で購入商品やその代金の受け渡しが行われるので、店の配送担当者や宅配業者による配送で必要とされるような配送用のコンテナ等は不要である。又、店の配送担当者や宅配業者による代金回収の煩雑な手続きや、配送時に購入依頼者が不在である場合の持参した商品の扱い等の問題も生じない。
【００５２】
次に、本発明の第２実施形態について説明する。前記第１実施形態では受領手段１２と支払い手段１４は別体の装置として備えられているのに対し、図１１に示されるように本第２実施形態では受領手段１２と支払い手段１４は一体の装置として備えられており、この一体の装置内において受領証２２に記載されている買い物代行利用料を認識可能であるように支払い手段１４が受領手段１２と接続されている。支払い手段１４は支払い用入力手段を備えていない。又、受領用プリント手段２４は、店が買い物代行者Ａに支払うお友達謝礼金等の買い物代行利用料が記載された支払い証をプリントする支払い用プリント手段を兼ねている。尚、受領用計算手段２０と支払い用制御手段３１は、共通のコンピュータープログラムの一部と他の一部として備えられていてもよい。他の構成は前記第１実施形態と同じであるので同じ構成については図１〜１０と同じ符号を用いることとして説明を省略する。
【００５３】
本第２実施形態では支払い用プリント手段を兼ねる受領用プリント手段２４が、図４に示されるような買い物依頼者Ｒのための受領証２２をプリントすると共に図６に示されるような買い物代行者Ａのための支払い証３０もプリントする。又、買い物代行者Ａが自身のための買い物もする場合には、受領用プリント手段２４は図５に示されるような買い物代行者Ａのための受領証２２に代えて、図１２に示されるような支払い証３０を兼ねる買い物代行者Ａのための受領証２２をプリントする。尚、図１２の例では買い物代行の手数料として店が買い物代行者Ａに支払う買い物代行利用料は前記第１実施形態と同様に受領証２２（支払い証３０）に「お友達宅配謝礼金」と記載されているが、図１３の例のように買い物代行の手数料として店が買い物代行者Ａに支払う買い物代行利用料は「お友達宅配謝礼割引」として記載されていてもよい。即ち、買い物代行者Ａのための購入商品の代金から買い物代行利用料の金額を割り引く方式で、店が買い物代行者Ａに買い物代行の手数料として買い物代行利用料を支払うようにしてもよい。
【００５４】
本第２実施形態では受領手段１２と支払い手段１４が一体の装置として備えられているので買い物代行者Ａは購入商品の代金や専用カート利用料等の買い物代行利用料を支払った後、同じ場所で買い物代行の手数料として店からお友達宅配謝礼金等の買い物代行利用料の支払いを受けることができ便利である。又、支払い手段１４は受領手段１２との接続によって受領証２２に記載されている専用カート利用料等の買い物代行利用料を認識でき、受領証２２の受領証識別コードを店員が入力する操作が不要であり効率がよい。
【００５５】
尚、前記第１及び第２実施形態では買い物依頼者Ｒとして高齢者を例示しているが、高齢者でなくても例えば身障者等の店舗での買い物が困難な人や、店舗まで買い物に行く時間的なゆとりがない人等が買い物の代行を依頼する場合にも本発明は有用である。
【００５６】
又、前記第１及び第２実施形態では買い物依頼者Ｒが友達等の買い物代行者や店で紹介された買い物代行者に買い物代行を依頼する例を示しているが、例えば店が買い物代行担当者を店舗等に常駐させておいて、買い物代行者が見つからない買い物依頼者に対して店が買い物代行担当者を紹介するようにしてもよい。
【００５７】
又、前記第１及び第２実施形態において、受領手段１２によって購入商品の代金と共に専用カート利用料等の買い物代行利用料を受領する例が示されているが、例えば買い物依頼者Ｒが買い物代行者Ａに買い物の代行を依頼した購入予定商品が総て品切れであり買い物代行者Ｒが買い物依頼者Ａのための商品を全く購入しなかった場合でも、買い物代行者Ｒと買い物依頼者Ａとが合意していれば店は買い物代行者Ａの申し出により買い物代行者Ａから専用カート利用料等の買い物代行利用料を受領するようにしてもよい。この場合も受領証２２には専用カート利用料等の買い物代行利用料が記載され、買い物代行者Ａは支払い手段１４によって店から買い物代行の手数料としてお友達宅配謝礼金等の買い物代行利用料の支払いを受けることができる。
【００５８】
又、前記第１及び第２実施形態において、携帯端末５６は買い物代行者Ａによって利用されているが、携帯端末５６は買い物の代行は行わない（自身のための買い物だけをする）買い物客にも利用可能である。この場合も、買物客が自身のために購入しようとする商品の売り場の位置を携帯端末５６によって確認することができ便利である。又、買物客が自身のために店舗において集める商品のバーコードをバーコードリーダー５６Ａで読み取って受領用入力手段１８に送信することにより、購入商品の代金の支払いを迅速に済ませることができ便利である。
【産業上の利用可能性】
【００５９】
本発明は、例えばスーパーマーケット等の小売店で利用することができる。
【符号の説明】
【００６０】
１０…買い物代行サポートシステム
１２…受領手段
１４…支払い手段
１６…受領用記憶手段
１８…受領用入力手段
２０…受領用計算手段
２２…受領証
２４…受領用プリント手段
２６…支払い用入力手段
２８…支払い用プリント手段
３０…支払い証
３１…支払い用制御手段
３２…買い物代行利用会員カード
３４…パーソナルデータ登録手段
３６…購入履歴データ記憶手段
３８…買い物代行利用希望者入力手段
４０…パーソナルデータ作成手段
４２…パーソナルデータ記憶手段
４４…パーソナルデータ記載紙
４６…パーソナルデータ用プリント手段
４８…買い物代行利用会員カード発行手段
５０…買い物代行候補者入力手段
５２…買い物代行候補者記憶手段
５４…買い物代行候補者選択手段
５６…携帯端末
５６Ａ…バーコードリーダー
５８…買い物メモ用紙
６０…買い物メモ用紙読み取り装置
６２…専用自動車
６４…支払い用記憶手段
６６…支払い用計算手段
６８…カート
７０…専用カート
７２…かご
７４…専用かご
Ａ…買い物代行者
Ｃ１、Ｃ２…店員
Ｒ…買い物依頼者
Ｓ…店舗
Ｓ１０２…パーソナルデータ登録ステップ
Ｓ１０４…買い物代行依頼ステップ
Ｓ１０６…買い物代行準備ステップ
Ｓ１０８…買い物実行ステップ
Ｓ１１０…受領ステップ
Ｓ１１２…支払いステップ
Ｓ１１４…配送ステップ
【図１】
0005570545.tif 000002
【図２】
0005570545.tif 000003
【図３】
0005570545.tif 000004
【図４】
0005570545.tif 000005
【図５】
0005570545.tif 000006
【図６】
0005570545.tif 000007
【図７】
0005570545.tif 000008
【図８】
0005570545.tif 000009
【図９】
0005570545.tif 000010
【図１０】
0005570545.tif 000011
【図１１】
0005570545.tif 000012
【図１２】
0005570545.tif 000013
【図１３】
0005570545.tif 000014